(57)【要約】      （修正有）【課題】隣接する仮囲いフェンスを安定的に設置でき、隣接する仮囲いフェンスの間の間隔を調整できるウェイトブロックを提供する。【解決手段】ウェイトブロックＸは、ウェイト本体１を備え、ウェイト本体は、円形穴１５及び長円穴１６を含んで備える。長円穴は、円形穴に間隔を隔てて隣接される。円形穴の穴中心Ａ、及び長円穴の長穴中心Ｂは、同一の穴基準直線ＬＡに位置され、長円穴は、穴基準直線の延びる方向に長径を有する。ウェイトブロックは、隣接する仮囲いフェンスの支柱を円形穴及び長円穴の夫々に挿入して、隣接する仮囲いフェンスの間に設置される。長円穴側の仮囲いフェンスを、長円穴に沿って移動することで、隣接する仮囲いフェンスの間の間隔を調整する。【選択図】図１
0003214217.tif 000002
【実用新案登録請求の範囲】
【請求項１】
立体形状に形成され、表面、裏面、前記表面及び前記裏面の間の側面でなるウェイト本体を備え、
前記ウェイト本体は、
前記ウェイト本体を貫通して、前記ウェイト本体の表面及び裏面に開口される円形穴と、
前記円形穴に間隔を隔てて隣接され、前記ウェイト本体を貫通して前記ウェイト本体の表面及び裏面に開口される長円穴と、
を含んで備え、
前記円形穴の穴中心、及び前記長円穴の長穴中心は、
同一の穴基準直線に位置され、
前記長円穴は、
前記穴基準直線の延びる方向に長径を有する
ことを特徴とするウェイトブロック。
【請求項２】
前記長円穴は、
前記円形穴の直径と同一の短径を有する
ことを特徴とする請求項１に記載のウェイトブロック。
【請求項３】
前記ウェイト本体は、
前記円形穴、及び前記長円穴に間隔を隔てて隣接され、前記ウェイト本体を貫通して前記ウェイト本体の表面及び裏面に開口されるＬ字溝穴を備え、
前記Ｌ字溝穴は、
長円穴部と、
長穴部と、を有し、
前記長円穴部の長穴中心は、
前記ウェイト本体の重心を通るウェイト重心直線に位置され、
前記長円穴部は、
前記ウェイト重心直線の延びる方向に長径を有し、
前記長穴部は、
前記長円穴部の一方の長径端に連続して形成され、
前記ウェイト重心直線に直交する方向に延在して、前記ウェイト本体の側面に開口される
ことを特徴とする請求項１又は請求項２に記載のウェイトブロック。
【請求項４】
前記ウェイト本体は、
前記穴基準直線の延びる方向、又は前記穴基準直線に交差する方向に延在される裏面溝を備え、
前記裏面溝は、
前記ウェイト本体の裏面に開口され、
前記穴基準直線の延びる方向、又は前記穴基準直線に交差する方向にて、前記ウェイト本体を貫通して、前記ウェイト本体の側面に開口される
ことを特徴とする請求項１乃至請求項３の何れかに記載のウェイトブロック。
【請求項５】
前記ウェイト本体は、
前記円形穴、及び前記長円穴に間隔を隔てて隣接される溝穴を備え、
前記溝穴は、
前記ウェイト本体を貫通して、前記ウェイト本体の表面、裏面及び側面に開口される
ことを特徴とする請求項１乃至請求項４の何れかに記載のウェイトブロック。
【請求項６】
前記ウェイト本体は、
前記ウェイト本体の表面を突出して形成される凸部と、
前記ウェイト本体の裏面を凹ませて形成され、別のウェイト本体の前記凸部を嵌め込むための凹部と、を有する
ことを特徴とする請求項１乃至請求項５の何れかに記載のウェイトブロック。
【請求項７】
ウェイト本体を備え、
前記ウェイト本体は、
少なくとも前記ウェイト本体の表面に開口される穴と、
前記穴に間隔を隔てて隣接され、少なくとも前記ウェイト本体の表面に開口される長穴と、
を含んで備え、
前記穴の穴中心、及び前記長穴の長穴中心は、
同一の穴基準直線に位置され、
前記長穴は、
前記穴基準直線の延びる方向に、穴長さを有する
ことを特徴とするウェイトブロック。
【考案の詳細な説明】
【技術分野】
【０００１】
本考案は、建設工事、道路工事等の工事現場でバリケードや仮囲いフェンスを安定的に設置し、イベント会場等でテントを安定的に仮設するためのウェイトブロックである。
【背景技術】
【０００２】
工事現場でフェンスを設置する技術として、特許文献１は、アンカーウェイトを開示する。このアンカーウェイトは、天板部を貫通する複数（４つ）の円形穴を備える。
特許文献１では、隣接するフェンスの支柱を各円形穴に挿入することで、各フェンスを工事現場で安定的に設置する。
【先行技術文献】
【特許文献】
【０００３】
【特許文献１】特開２０１４−１６７０７０号公報
【考案の概要】
【考案が解決しようとする課題】
【０００４】
特許文献１では、隣接するフェンスの支柱を円形穴に挿入して、各フェンスをアンカーウェイトに固定しているので、工事現場の環境に応じて、隣接するフェンスの間の間隔を調整できない。
【０００５】
本考案は、工事現場で隣接するフェンスを安定的に設置でき、隣接するフェンスの間の間隔を調整できるウェイトブロックを提供することにある。
また、本考案は、工事現場でバリケードを安定的に設置できるウェイトブロックを提供することにある。
更に、本考案は、イベント会場等でテントを安定的に仮設できるウェイトブロックを提供することにある。
【課題を解決するための手段】
【０００６】
本考案に係る請求項１は、立体形状に形成され、表面、裏面、前記表面及び前記裏面の間の側面でなるウェイト本体を備え、前記ウェイト本体は、前記ウェイト本体を貫通して、前記ウェイト本体の表面及び裏面に開口される円形穴と、前記円形穴に間隔を隔てて隣接され、前記ウェイト本体を貫通して前記ウェイト本体の表面及び裏面に開口される長円穴と、を含んで備え、前記円形穴の穴中心、及び前記長円穴の長穴中心は、同一の穴基準直線に位置され、前記長円穴は、前記穴基準直線の延びる方向に長径を有することを特徴とするウェイトブロックである。
請求項１では、ウェイト本体は、相互に間隔を隔てて隣接されるフェンスにおいて、一方のフェンスの支柱を円形穴に挿入し、他方のフェンスの支柱を長円穴に挿入して、隣接するフェンスに設置される（相互に間隔を隔てて隣接するフェンスにおいて、一方のフェンスの支柱を円形穴に挿入し、他方のフェンスの支柱を長円穴に挿入して、フェンス本体を隣接するフェンスに設置する）構成も採用できる。
【０００７】
本考案に係る請求項２は、前記長円穴は、前記円形穴の直径と同一の短径を有することを特徴とする請求項１に記載のウェイトブロックである。
【０００８】
本考案に係る請求項３は、前記ウェイト本体は、前記円形穴、及び前記長円穴に間隔を隔てて隣接され、前記ウェイト本体を貫通して前記ウェイト本体の表面及び裏面に開口されるＬ字溝穴を備え、前記Ｌ字溝穴は、長円穴部と、長穴部と、を有し、前記長円穴部の長穴中心は、前記ウェイト本体の重心を通るウェイト重心直線に位置され、前記長円穴部は、前記ウェイト重心直線の延びる方向に長径を有し、前記長穴部は、前記長円穴部の一方の長径端に連続して形成され、前記ウェイト重心直線に直交する方向に延在して、前記ウェイト本体の側面に開口されることを特徴とする請求項１又は請求項２に記載のウェイトブロックである。
請求項３では、ウェイト本体は、単管バリケードの単管をＬ字溝穴の長穴部から長円穴部に挿入し、単管バリケードの単管に装着される（単管バリケードの単管をＬ字溝穴の長穴部から長円穴部に挿入して、ウェイト本体を単管バリケードの単管に装着する）構成も採用できる。
【０００９】
本考案に係る請求項４は、前記ウェイト本体は、前記穴基準直線の延びる方向、又は前記穴基準直線に交差する方向に延在される裏面溝を備え、前記裏面溝は、前記ウェイト本体の裏面に開口され、前記穴基準直線の延びる方向、又は前記穴基準直線に交差する方向にて、前記ウェイト本体を貫通して、前記ウェイト本体の側面に開口されることを特徴とする請求項１乃至請求項３の何れかに記載のウェイトブロックである。
請求項４では、ウェイト本体は、バリケード（Ａ型バリケード）の横梁材を裏面溝に挿入して、バリケードに引掛けられる［バリケード（Ａ型バリケード）の横梁材を裏面溝に挿入して、ウェイト本体をバリケードに引掛ける］構成も採用できる。
【００１０】
本考案に係る請求項５は、前記ウェイト本体は、前記円形穴、及び前記長円穴に間隔を隔てて隣接される溝穴を備え、前記溝穴は、前記ウェイト本体を貫通して、前記ウェイト本体の表面、裏面及び側面に開口されることを特徴とする請求項１乃至請求項４の何れかに記載のウェイトブロックである。
請求項５では、ウェイト本体は、テントの支柱を溝穴に挿入して、テントの支柱端（下端）のベース板に載置される（テントの支柱を溝穴に挿入して、ウェイト本体をテントの支柱端（下端）のベース板に載置する）構成も採用できる。
【００１１】
本考案に係る請求項６は、前記ウェイト本体は、前記ウェイト本体の表面を突出して形成される凸部と、前記ウェイト本体の裏面を凹ませて形成され、別のウェイト本体の前記凸部を嵌め込むための凹部と、を有することを特徴とする請求項１乃至請求項５の何れかに記載のウェイトブロックである。
【００１２】
本考案に係る請求項７は、ウェイト本体を備え、前記ウェイト本体は、少なくも前記ウェイト本体の表面に開口される穴と、前記穴に間隔を隔てて隣接され、少なくとも前記ウェイト本体の表面に開口される長穴と、を含んで備え、前記穴の穴中心、及び前記長穴の長穴中心は、同一の穴基準直線に位置され、前記長穴は、前記穴基準直線の延びる方向に、穴長さを有することを特徴とするウェイトブロックである。
請求項７では、ウェイト本体は、相互に間隔を隔てて隣接されるフェンスにおいて、一方のフェンスの支柱を円形穴に挿入し、他方のフェンスの支柱を長円穴に挿入して、隣接するフェンスに設置される（相互に間隔を隔てて隣接するフェンスにおいて、一方のフェンスの支柱を円形穴に挿入し、他方のフェンスの支柱を長円穴に挿入して、フェンス本体を隣接するフェンスに設置する）構成も採用できる。
【００１３】
本考案に係る請求項１乃至請求項７は、建設工事、道路工事等の工事現場でバリケード（単管バリケード、Ａ型バリケード）や仮囲いフェンスを安定的に設置するために使用されるウェイトブロックである。
本考案に係る請求項１乃至請求項７は、イベント会場等でテントを安定的に仮設するために使用されるウェイトブロックである。
【考案の効果】
【００１４】
本考案に係る請求項１では、建設工事、道路工事等の工事現場で仮囲いフェンス（フェンス）を安定的に設置できる。
請求項１では、隣接する一方の仮囲いフェンスの支柱を円形穴に挿入し、隣接する他方の仮囲いフェンスを長円穴に挿入することで、ウェイト本体を隣接する仮囲いフェンスの間に設置する。
これにより、隣接する仮囲いフェンスは、ウェイトブロックにて支持され、工事現場に立設される。
長円穴に挿入した仮囲いフェンスは、ウェイト本体に対して、支柱を長円穴の長径（穴長）の方向に移動することで、隣接する仮囲いフェンスの間の間隔を調整できる。
【００１５】
本考案に係る請求項２では、長円穴に挿入した仮囲いフェンスは、長円穴の短径（穴幅）の方向に移動することなく、隣接する仮囲いフェンスの間の間隔を調整できる。
【００１６】
本考案に係る請求項３では、単管バリケードの単管をＬ字溝穴に挿入することで、ウェイト本体を単管バリケードに装着できる。
これにより、単管バリケードは、ウェイトブロックの装着によって移動することなく、工事現場（地面）に安定して設置される。
請求項３では、Ｌ字溝穴の長円穴部をウェイト重心直線に配置しているので、ウェイト本体を単管に装着しても、単管を中心として回転して傾くことはない。
【００１７】
本考案に係る請求項４では、Ａ型バリケードの横梁材を裏面溝内に挿入することで、ウェイト本体を横梁材に引掛けて、Ａ型バリケードに装着できる。
これにより、Ａ型バリケードは、ウェイトブロックの装着によって、移動することなく、工事現場（地面）に安定して設置される。
【００１８】
本考案に係る請求項５では、テントの各支柱を溝穴内に挿入して、ウェイト本体を各支柱端のベース板上に載置する。
これにより、テントは、ウェイトブロックをベース材に載置ことによって、移動することなく、イベント会場等の地面（設置面）に安定して仮設できる。
【００１９】
本考案に係る請求項６では、一のウェイト本体の凹部内に、別のウェイト本体の凸部を嵌め込むことで、複数のウェイトブロックを上下に重ねて積載できる。
【００２０】
本考案に係る請求項７では、建設工事、道路工事等の工事現場で仮囲いフェンス（フェンス）を安定的に設置できる。
請求項１では、隣接する一方の仮囲いフェンスの支柱を穴に挿入し、隣接する他方の仮囲いフェンスを長穴に挿入することで、ウェイト本体を隣接する仮囲いフェンスの間に設置する。
これにより、隣接する仮囲いフェンスは、ウェイトブロックにて支持され、工事現場に立設される。
長円穴に挿入した仮囲いフェンスは、ウェイト本体に対して、支柱を長穴の穴長の方向に移動することで、隣接する仮囲いフェンスの間の間隔を調整できる。
【図面の簡単な説明】
【００２１】
【図１】ウェイトブロックの表側斜視図である。
【図２】ウェイトブロックの裏側斜視図である。
【図３】ウェイトブロックの表面図である。
【図４】ウェイトブロックの裏面図である。
【図５】ウェイトブロックの上面図である。
【図６】ウェイトブロックの下面図である
【図７】ウェイトブロックの右側面図である。
【図８】ウェイトブロックの左側面図である。
【図９】図３のＡ−Ａ断面図である。
【図１０】図４のＢ−Ｂ断面図である。
【図１１】複数のウェイトブロックを上下に重ねて積載した断面図である。
【図１２】仮囲いフェンスに、ウェイトブロックを設置した正面図である。
【図１３】図１３のＷ−Ｗ矢視断面図である。
【図１４】単管バリケードに、ウェイトブロックを装着した斜視図である。
【図１５】図１４のＶ−Ｖ矢視断面図である。
【図１６】Ａ型バリケードに、ウェイトブロックを装着した斜視図である。
【図１７】図１６のＸ−Ｘ矢視断面図である。
【図１８】テントに、ウェイトブロックを設置した斜視図である。
【図１９】図１８のＹ−Ｙ矢視断面図である。
【図２０】図１９のＺ−Ｚ矢視断面図であって、テントの支柱に、複数のウェイトブロックを上下に重ねて積載した断面図である。
【考案を実施するための形態】
【００２２】
本考案に係るウェイトブロックについて、図１乃至図２０を参照して説明する。
【００２３】
ウェイトブロック  Ｘは、図１２乃至図１７に示すように、建設工事、道路工事等の工事現場で仮囲いフェンス（フェンス）やバリケード（単管バリケード、Ａ型バリケード）を安定的に設置するために使用される。
ウェイトブロックＸは、図１８乃至図２０に示すように、イベント会場等でテントを安定的に仮設するために使用される。
【００２４】
図１乃至図１０において、ウェイトブロックＸは、鉄、青銅、錫、鉛、アンチモ、アルミニウム等の金属で形成される。ウェイトブロックＸは、例えば、金属の鋳物でなる。
ウェイトブロックＸは、ウェイト本体１を備える。
【００２５】
ウェイト本体１は、図１乃至図１０に示すように、立体形状に形成され、ウェイト表面２（表面）、ウェイト裏面３（裏面）、ウェイト表面２及びウェイト裏面３の間の複数のウェイト側面４〜７を有してなる。
ウェイト本体１は、ウェイト基台８、ウェイト凸部９（凸部）、ウェイト凹部１０（凹部）、及び把手部１１を有する。
【００２６】
ウェイト基台８は、図１乃至図１０に示すように、例えば、直方体に形成され、正方形の基台表面２Ａ、正方形の基台裏面３Ａ、及び複数（４つ）のウェイト側面４〜７でなる。
ウェイト基台８において、基台表面２Ａは、ウェイト本体１の表面２を構成（形成）する。基台裏面３Ａは、ウェイト本体１の裏面３を構成（形成）する。
【００２７】
ウェイト凸部９は、図１乃至図１０に示すように、ウェイト基台８に一体形成される。ウェイト凸部９は、前後方向ＦＲにおいて、ウェイト表面２を前方に突出して形成される。ウェイト凸部９は、前後方向ＦＲにおいて、ウェイト基台８の基台表面２Ａから前方に突出する。
ウェイト凸部９は、例えば、正四角錐台に形成され、錐台中心線をウェイト基台８の中心に位置（一致）して配置される。ウェイト凸部９は、錐下底面をウェイト基台８の基台表面２Ａに位置して、ウェイト基台８上に形成される。
ウェイト凸部９は、正方形の天井表面２Ｂ（錐上底面）、複数（４つ）の側表面２Ｃを有してなる。天井表面２Ｂは、前後方向ＦＲにおいて、ウェイト基台８の基台表面２Ａから錐高Ｈを隔てて位置して、基台表面２Ａに平行配置される。
各側表面２Ｃは、ウェイト基台８の各ウェイト側面４〜７に間隔Ｔ１を隔てて平行配置される。各側表面２Ｃは、ウェイト基台８の基台表面２Ａから前方及びウェイト基台８の中心に向けて延在しつつ傾斜して、天井表面２Ｂに延在される。
ウェイト凸部９において、天井表面２Ｂ、各側表面２Ｃは、ウェイト本体１の表面２を構成（形成）する。
ウェイト本体１のウェイト表面２は、各ウェイト側面４〜７及び各側表面２Ｃ間の基台表面２Ａ、天井表面２Ｂ、及び各側表面２Ｃで構成（形成）される。
【００２８】
ウェイト凹部１０は、別のウェイト本体１（ウェイトブロックＸ）のウェイト凸部９を嵌め込むための凹穴である。
ウェイト凹部１０は、図１、図２、図４、図９及び図１０に示すように、ウェイト基台８に形成される。ウェイト凹部１０は、前後方向ＦＲにおいて、ウェイト裏面３を前方に凹ませて形成される。ウェイト凹部１０は、前後方向ＦＲにおいて、ウェイト基台８の基台裏面３Ａから前方（天井表面２Ｂ側）に凹まされる。
ウェイト凹部１０は、例えば、正四角錐台形状の凹部に形成され、凹中心線をウェイト基台８の中心に位置（一致）して配置される。ウェイト凹部１０は、錐下底面をウェイト基台８の基台裏面３Ａに位置して、基台裏面３Ａに開口される。
ウェイト凹部１０は、正方形の天井裏面３Ｂ（錐上底面）、及び複数（４つ）の側裏面３Ｃを有してなる。天井裏面３Ｂは、前後方向ＦＲにおいて、ウェイト基台８の基台裏面３Ａから錐凹深Ｄ（錐凹深Ｄ＜錐高Ｈ）を隔てて基台裏面３Ａに平行配置される。
各側裏面３Ｃは、ウェイト基台８の各ウェイト側面４〜７に間隔Ｔ２（間隔Ｔ２＜間隔Ｔ１）を隔てて平行配置される。各側面４〜７は、ウェイト基台８の基台裏面３Ａから前方及びウェイト基台８の中心に向けて延在しつつ傾斜して、天井裏面３Ｂに延在される。
ウェイト凹部１０において、天井裏面３Ｂ、及び各側裏面３Ｃは、ウェイト本体１のウェイト裏面３を構成（形成）する。
ウェイト本体１のウェイト裏面３は、各ウェイト側面４〜７及び各側裏面３Ｃ間の基台裏面３Ａ、天井裏面３Ｂ、及び各側裏面３Ｃで構成（形成）される。
【００２９】
把手部１１は、図１乃至図５、及び図７乃至図９に示すように、上下方向ＵＤにおいて、上端のウェイト側面４に配置され、ウェイト基台８（ウェイト本体１）に一体形成される。把手部１１は、上下方向ＵＤにおいて、ウェイト側面４から上方に突出して形成される。把手部１１は、把手穴１２を有し、把手穴１２は、前後方向ＦＲにおいて、把手部１１を貫通する。
これにより、把手部１１を掴むことで、ウェイトブロックＸ（ウェイト本体１）を持ち運ぶことができる。
なお、上下方向ＵＤは、前後方向ＦＲに直交する方向である。
【００３０】
ウェイト本体１は、図１乃至図１０に示すように、穴１５、長穴１６、Ｌ字溝穴１７、裏面溝１８、及び溝穴１９を備える。
【００３１】
ウェイト本体１において、穴１５は、例えば、円形穴に形成される（以下、「円形穴１５」という）。円形穴１５は、仮囲いフェンス（フェンス）の支柱（円筒支柱／円形支柱）を摺接して挿入できる、円直径Ｄ１を有する。
円形穴１５は、図１乃至図４に示すように、例えば、上下方向ＵＤにおいて、上端のウェイト側面４側（上方側）に配置される。円形穴１５は、前後方向ＦＲにおいて、ウェイト本体１を貫通して、ウェイト本体１のウェイト表面２及びウェイト裏面３に開口される。
円形穴１５は、例えば、前後方向ＦＲにおいて、ウェイト凸部９を貫通しして、ウェイト凸部９の天井表面２Ｂ及びウェイト凹部１０の天井裏面３Ｂに開口される。円形穴１５は、前後方向ＦＲにおいて、ウェイト凹部１０内に連通される。
円形穴１５の穴中心Ａは、穴基準直線ＬＡに位置（一致）される。穴基準直線ＬＡは、例えば、上下方向ＵＤに延在する直線（穴基準仮想直線）である。穴基準直線ＬＡは、ウェイト重心直線ＬＧに間隔ＴＧを隔てて平行して配置される。ウェイト重心直線ＬＧは、ウェイト本体１の重心Ｇを通る直線（ウェイト重心仮想直線）であって、上下方向ＵＤに延存する。
穴基準直線ＬＡは、左右方向ＬＲにおいて、例えば、ウェイト重心直線ＬＧの左方に間隔ＴＧを隔てて、ウェイト重心直線ＬＧに平行して配置される。
これにより、円形穴１５は、左右方向ＬＲにおいて、ウェイト重心直線ＬＧより左方に位置して、天井表面２Ｂ及び天井裏面３Ｂに開口される。
なお、左右方向ＬＲは、前後方向ＦＲ及び上下方向ＵＤに直交する方向である。
【００３２】
ウェイト本体１において、長穴１６は、例えば、長円穴に形成される（以下、「長円穴１６」という）。長円穴１６は、円形穴１５の円直径Ｄ１と同一の短径Ｈ１（穴幅）を有する。
長円穴１６は、図１乃至図４、及び図１０に示すように、上下方向ＵＤにおいて、円形穴１５に間隔ＴＰを隔てて隣接され、円形穴１５及び下端のウェイト側面５の間に配置される。長円穴１６は、前後方向ＦＲにおいて、円形穴１５に平行して、ウェイト本体１を貫通して、ウェイト本体１のウェイト表面２及びウェイト裏面３に開口される。
長円穴１６は、例えば、前後方向ＦＲにおいて、ウェイト凸部９を貫通して、天井表面２Ｂ及び天井裏面３Ｂに開口される。長円穴１６は、前後方向ＦＲにおいて、ウェイト凹部１０内に連通される。
長円穴１６の長穴中心Ｂは、穴基準直線ＬＡに位置（一致）される。長円穴１６は、穴基準直線ＬＡの延びる方向（上下方向ＵＤ）に長径Ｌ１（穴長）を有して、上下方向ＵＤに延在される。長円穴１６において、長径Ｌ１（穴長）＞短径Ｈ１（穴幅）である。
これにより、円形穴１５の穴中心Ａ、及び長円穴１６の長穴中心Ｂは、同一の穴基準直線ＬＡに位置される。穴基準直線ＬＡは、円形穴１５の穴中心Ａ、及び長円穴１６の長穴中心Ｂを通り、上下方向ＵＤに延在する。
円形穴１５、及び長円穴１６は、隣接する仮囲いフェンス（フェンス）の支柱（円筒支柱／円形支柱）を挿入して、ウェイト本体１を各仮囲いフェンス（フェンス）に設置する機能（役割）を有する。
【００３３】
ウェイト本体１において、Ｌ字溝穴１７は、図１乃至図５、図７及び図９に示すように、円形穴１５、長円穴１６に間隔を隔てて隣接される。
Ｌ字溝穴１７は、前後方向ＦＲにおいて、円形穴１５及び長円穴１６に平行して、ウェイト本体１を貫通して、ウェイト本体１のウェイト表面２及びウェイト裏面３に開口される。
Ｌ字溝穴１７は、例えば、前後方向ＦＲにおいて、ウェイト基台８、及びウェイト凸部９を貫通して、右側の基台表面２Ａ、天井表面２Ｂ及び右側の側表面２Ｃに開口され、右側の基台裏面３Ａ、天井裏面３Ｂ及び右側の側裏面３Ｃに開口される。Ｌ字溝穴１７は、前後方向ＦＲにおいて、ウェイト凹部１０内に連通される。
Ｌ字溝穴１７は、図１乃至図４、図７及び図９に示すように、長円穴部２５（縦長円穴部）、及び長穴部２６（横長穴部）を有する。
【００３４】
長円穴部２５は、単管バリケードの単管（円筒管）を摺接して挿入できる、短径Ｈ２（穴幅）を有する。長円穴部２５の長穴中心Ｃは、ウェイト重心直線ＬＧに位置（一致）される。
長円穴部２５は、ウェイト重心直線ＬＧの延びる方向（上下方向ＵＤ）に長径Ｌ２（穴長）を有して、上下方向ＵＤに延在される。長円穴部２５は、長径Ｌ２（穴長）＞短径Ｈ２（穴幅）である。
長円穴部２５は、前後方向ＦＲにおいて、ウェイト凸部９を貫通して、天井表面２Ｂ及び天井裏面３Ｂに開口される。長円穴部２５は、上下方向ＵＤにおいて、ウェイト凹部１０内に連通される。
【００３５】
長穴部２６は、単管バリケードの単管（円筒管）を摺接して挿入できる、穴幅Ｈ３（穴幅Ｈ３＝短径Ｈ２）を有する。
長穴部２６は、長円穴部２５の一方の長径端２５Ａ（上下方向ＵＤにおいて、長径下端）に連続して形成される。長穴部２６は、ウェイト重心直線ＬＧに直交する方向（左右方向ＬＲ）であって、円形穴１５及び長円穴１６から離間する方向に延在する。
長穴部２６は、左右方向ＬＲにおいて、ウェイト本体１（ウェイト基台８）の右端のウェイト側面７に開口される。
長穴部２６は、前後方向ＦＲにおいて、ウェイト基台８、及びウェイト凸部９を貫通して、右側の基台表面２Ａ、天井表面２Ｂ及び右側の側表面２Ｃに開口され、右側の基台裏面３Ａ、天井裏面３Ｂ及び右側の側裏面３Ｃに開口される。長穴部２６は、前後方向ＦＲにおいて、ウェイト凹部１０内に連通される。
Ｌ字溝穴１７は、単管バリケードの単管（円筒管）を長穴部２６から長円穴部２５に挿入して、ウェイト本体１を単管バリケードの単管に装着する機能（役割）を有する。
【００３６】
ウェイト本体１において、裏面溝１８は、図１、図２、図４、及び図７乃至図１０に示すように、上下方向ＵＤにおいて、下端のウェイト側面５側に位置して、ウェイト本体１の裏面３に形成される。
裏面溝１８は、例えば、穴基準直線ＬＡに直交する方向（左右方向ＬＲ）に延在される。裏面溝１８は、ウェイト本体１の表面２側（前後方向ＦＲ）において、バリケード（Ａ型バリケード）の横梁材を挿入できる、溝深Ｄ４を有し、及び上下方向ＵＤにおいて、バリケードの横梁材を挿入できる、溝幅Ｈ４を有して、ウェイト基台８の基台表面２Ａ（ウェイト本体１のウェイト裏面３）に開口される。
裏面溝１８は、穴基準直線ＬＡに直交する方向（左右方向ＬＲ）にて、ウェイト本体１（ウェイト基台８）を貫通して、ウェイト本体１（ウェイト基台８）の左右端のウェイト側面６，７の夫々に開口される。
裏面溝１８は、バリケード（Ａ型バリケード）の横梁材を挿入して、ウェイト本体１をバリケードの横梁材に引掛ける機能（役割）を有する。
【００３７】
ウェイト本体１において、溝穴１９は、図１、図２、図４、及び図７乃至図１０に示すように、円形穴１５、長円穴１６及びＬ字溝穴１７に間隔を隔てて隣接される。
溝穴１９は、例えば、上下方向ＵＤにおいて、Ｌ字溝穴１７及び下端のウェイト側面５の間に形成される。
溝穴１９は、前後方向ＦＲにおいて、Ｌ字溝穴１７に平行して、ウェイト本体１を貫通して、ウェイト本体１のウェイト表面２及びウェイト裏面３に開口される。
溝穴１９は、例えば、前後方向ＦＲにおいて、ウェイト基台８、及びウェイト凸部９を貫通して、下側の基台表面２Ａ、天井表面２Ｂ及び下側の側表面２Ｃに開口され、下側の基台裏面３Ａ、天井裏面３Ｂ及び下側の側裏面３Ｃに開口される。
溝穴１９は、上下方向ＵＤにおいて、下端のウェイト側面５から上方（Ｌ字溝穴１７側）に延在して形成される。
溝穴１９の溝穴中心Ｄは、例えば、ウェイト本体１の中心を通るウェイト中心直線ＬＢに位置（一致）される。ウェイト中心直線ＬＢは、例えば、穴基準直線ＬＡ、ウェイト重心直線ＬＧに平行して、上下方向ＵＤに延在する直線（ウェイト中心仮想直線）である。溝穴１９は、ウェイト中心直線ＬＢの延びる方向（上下方向ＵＤ）であって、長円穴部２５の一方の長径端２５Ａから離間する方向に延在して、ウェイト本体１（ウェイト基台８）の下端のウェイト側面５に開口される。
溝穴１９は、左右方向ＬＲにおいて、テントの支柱（円筒支柱／円形支柱）を挿入できる、穴幅Ｈ５を有し、及び上下方向ＵＤにおいて、テントの支柱を挿入できる、穴長Ｌ５を有する。溝穴１９は、図４に示すように、例えば、上下方向ＵＤの上方側に穴幅Ｈ５を有して、下端のウェイト側面５に向って左右方向ＬＲに扇状に広がって延在されて、下端のウェイト側面５に開口される。
溝穴１９は、テントの支柱を挿入して、ウェイト本体１をテントの支柱端のベース板に載置する機能（役割）を有する。
【００３８】
図１１において、一のウェイト本体１（ウェイトブロックＸ）のウェイト凹部１０内に、別の（他の一の）ウェイト本体１（ウェイトブロック）のウェイト凸部９を嵌め込む。
これにより、複数のウェイトブロックＸ，Ｘ，…は、上下に重ねて積載できる。
積載された複数のウェイトブロックＸにおいて、上側のウェイトブロックＸは、基台裏面３Ａを、下側のウェイトブロックＸの基台表面２Ａに当接して積載される。
【００３９】
図１２及び図１３において、ウェイトブロックＸは、建設工事、道路工事等の工事現場で仮囲いフェンスＦＡ（フェンス）を安定的に設置するために使用される。
複数の仮囲いフェンスＦＡ，ＦＡ，…は、図１２に示すように。相互に間隔を隔てて隣接され、工事現場（地面）に立設される。
ウェイトブロックＸは、図１２及び図１３に示すように、隣接する仮囲いフェンスＦＡ，ＦＡに設置される。
ウェイトブロックＸは、隣接する一方の仮囲いフェンスＦＡの円筒支柱Ｐ（支柱）を円形穴１５に挿入し、隣接する他方の仮囲いフェンスＦＡの円筒支柱Ｐ（支柱）を長円穴１６に挿入して、隣接する仮囲いフェンスＦＡ，ＦＡに設置される。ウェイトブロックＸは、基台裏面３Ａを工事現場等の地面（設置面）に当接して設置される。隣接する仮囲いフェンスＦＡ，ＦＡは、ウェイトブロックＸにて支持され、工事現場（地面）に立設される。
このとき、長円穴１６側の仮囲いフェンスＦＡは、円筒支柱Ｐを長円穴１６の長径Ｌ１（穴長）の方向（穴基礎直線ＬＡの延びる方向）に移動（摺動）することで、隣接する仮囲いフェンスＦＡ，ＦＡの間の間隔を調整できる。
【００４０】
図１４及び図１５において、ウェイトブロックＸは、ウェイト本体１に対して、建設工事、道路工事等の工事現場で単管バリケードＴＢを安定的に設置するために使用される。
単管バリケードＴＢは、図１３に示すように、複数（一対）のバリケード脚ＴＫ，ＴＫ、及び上下の単管ＰＵ，ＰＵを有して構成される。各単管ＰＵ，ＰＵは、上下に配置され、各バリケード脚ＴＫ，ＴＫに架設される。各単管ＰＵ，ＰＵは、各バリケード脚ＴＫ，ＴＫに固定される。
ウェイトブロックＸは、図１４及び図１５に示すように、単管バリケードＴＢの下側の単管ＰＵをＬ字溝穴１７に挿入して、単管バリケードＴＢに装着される。
ウェイトブロックＸは、ウェイト本体１の右側のウェイト側面７から長穴部２６に下側の単管ＰＵを挿入し、ウェイト本体１を下側の単管ＰＵに対して右方（横）に移動することで、長円穴部２５の一方の長径端２５Ａに配置する。
続いて、ウェイトブロックＸは、ウェイト本体１を下側の単管ＰＵに対して下方（縦）に移動することで、長円穴部２５を上方から下側の単管ＰＵに当接して、下側の単管ＰＵ上に載置される。
このとき、ウェイトブロックＸは、Ｌ字溝穴１７をウェイト重心直線ＬＧに配置しているので、下側の単管ＰＵを中心として回転して傾くことはない。
単管バリケードＴＢは、ウェイトブロックＸの装着によって移動することなく、工事現場（地面）に安定して設置される。
【００４１】
図１６及び図１７において、ウェイトブロックＸは、建設工事、道路工事等の工事現場でＡ型バリケードＡＢを安定的に設置するために使用される。
Ａ型バリケードＡＢは、図１６に示すように、複数（一対）のＡ型バリケード脚ＡＫ，ＡＫ、及び複数（一対）の横梁材ＹＨ，ＹＨを有して構成される。
各Ａ型バリケード脚ＡＫ，ＡＫは、上端側を回転管ＫＵにて回転自在に連結される。各横梁材ＹＨ，ＹＨは、各Ａ型バリケード脚ＡＫ，ＡＫの下側に位置して、相互に間隔を隔てて平行に配置される。各横梁材ＹＨ，ＹＨは、各Ａ型バリケード脚ＡＫ，ＡＫの間に架設され、各Ａ型バリケード脚ＡＫ，ＡＫに固定される。
ウェイトブロックＸは、図１６及び図１７に示すように、Ａ型バリケードＡＢの外側に位置して、ウェイト裏面３（裏面溝１８）を横梁材ＹＨに対向（対峙）して配置される。ウェイトブロックＸは、Ａ型バリケードＡＢの横梁材ＹＨを裏面溝１８内に挿入して、横梁材ＹＨに引掛けられ、Ａ型バリケードＡＢに装着される。このとき、ウェイト本体１は、傾斜されて、把手部１１を工事現場等の地面（設置面）に当接させて配置される。
Ａ型バリケードＡＢは、ウェイトブロックＸの装着によって、移動することなく、工事現場（地面）に安定して設置される。
【００４２】
図１８乃至図２０において、ウェイトブロックＸは、イベント会場等でテントＴＮを安定的に仮設するために使用される。
テントＴＮは、図１８に示すように、布製の膜体ＴＢ、複数（４本）の円筒支柱ＰＡ，ＰＡ，…（支柱）、及び複数（４枚）のベース板ＢＮ，ＢＮ，…を有して構成される。布製の膜体ＴＢは、各円筒支柱ＰＡ，ＰＡ，…に支持されて、イベント会場等の地面（設置面）に立設される。各ベース板ＢＮ，ＢＮ，…は、各円筒支柱ＰＡ，ＰＡ，…の下端に固定され、イベント会場等の地面（設置面）に載置される。
複数（４つ）のウェイトブロックＸは、図１９に示すように、テントＴＮの各円筒支柱ＰＡ，ＰＡ，…を溝穴１９内に挿入して、各ベース板ＢＮ，ＢＮ，…上に載置される。
各ウェイトブロックＸは、図１８乃至図２０に示すように、ウェイト凸部９を上方に向けて、テントＴＮの各円筒支柱ＰＡ，ＰＡ，…を溝穴１９内に挿入し、及びウェイト基台８の基台裏面３Ａを各ベース板ＢＮ，ＢＮ，…に当接して載置される。
テントＴＮは、ウェイトブロックＸをベース材ＢＮに載置ことによって、移動することなく、イベント会場等の地面（設置面）に安定して仮設される。
図２０において、必要に応じて、テントＴＮの各円筒支柱ＰＡ，ＰＡ，…に対して、複数のウェイトブロックＸ，Ｘ，…を上下に重ねて積載することで、各ベース材ＢＮ，ＢＮ，…に作用させる重量を調整できる。
このとき、複数のウェイトブロックＸにおいて、上段のウェイトブロックＸのウェイト凹部１０に下段のウェイトブロックＸのウェイト凸部９を挿入することで、上下に重ねて積載する。
上段のウェイトブロックＸは、基台裏面３Ａを、下段のウェイトブロックＸの基台表面２Ａに当接させることで、下段のウェイトブロックＸ上に積載される。
【００４３】
本考案では、ウェイト基台８は、直方体に形成したが、これに限定されず、円柱、多角形（正三角形、正五角形）等を含む立体形状に形成しても良い。
本考案では、ウェイト凸部９（凸部）、及びウェイト凹部１０（凹部）は、正四角錘台に限定されず、ウェイト凹部１０内にウェイト凸部９を嵌め込めれば、如何なる形状であっても良い。
【００４４】
本考案では、裏面溝１８は、穴基準直線ＬＡに直交する方向に延在して形成したが、これに限定されるものでなく、穴基準直線ＬＡの延びる方向、又は穴基準直線ＬＡに交差する方向に延在して、各ウェイト側面４〜７に開口させる構成も採用できる。
本考案では、仮囲いフェンスＦＡの支柱Ｐを挿入する穴は、円形穴で構成するもの限定されず、例えば、多角形（三角形、四角形）等を含む穴であっても良く、仮囲いフェンスＦＡの支柱Ｐを挿入する長穴も長円穴に限定されない。
本考案では、円形穴１５（穴）、及び長円穴１６（長穴）は、ウェイト本体１を貫通して、ウェイト表面２及びウェイト裏面３に開口する構成であるが、これに限定されるものでなく、仮囲いフェンスの支柱を挿入して、仮囲いフェンスを工事現場等で立設できる穴深さを有して、ウェイト本体１のウェイト表面２に開口する構成も採用できる。
本考案では、ウェイト本体１は、円形穴１５、長円穴１６、Ｌ字溝穴１７、裏面溝１８及び溝穴１９の全てを備える構成に限定されず、少なくとも円形穴１５及び長円穴１６を備える構成であれば良い。
【産業上の利用可能性】
【００４５】
本考案は、工事現場でバリケードや仮囲いフェンスを安定的に設置し、イベント会場等でテントを安定的に仮設するのに最適である。
【符号の説明】
【００４６】
Ｘ  ウェイトブロック
１  ウェイト本体
２  ウェイト表面（表面）
３  ウェイト裏面（裏面）
４〜７  ウェイト側面（側面）
８  ウェイト基台
９  ウェイト凸部（凸部）
１０  ウェイト凹部（凹部）
１５  円形穴（穴）
１６  長円穴（長穴）
１７  Ｌ字溝穴
１８  裏面溝
１９  溝穴
２５  長円穴部
２６  長穴部
ＬＡ  穴基準直線
ＬＢ  ウェイト中心直線
ＬＧ  ウェイト重心直線
【図１】
0003214217.tif 000003
【図２】
0003214217.tif 000004
【図３】
0003214217.tif 000005
【図４】
0003214217.tif 000006
【図５】
0003214217.tif 000007
【図６】
0003214217.tif 000008
【図７】
0003214217.tif 000009
【図８】
0003214217.tif 000010
【図９】
0003214217.tif 000011
【図１０】
0003214217.tif 000012
【図１１】
0003214217.tif 000013
【図１２】
0003214217.tif 000014
【図１３】
0003214217.tif 000015
【図１４】
0003214217.tif 000016
【図１５】
0003214217.tif 000017
【図１６】
0003214217.tif 000018
【図１７】
0003214217.tif 000019
【図１８】
0003214217.tif 000020
【図１９】
0003214217.tif 000021
【図２０】
0003214217.tif 000022